(57)【特許請求の範囲】
【請求項１】
アームの先端に照明体を、アーム軸線に交差する縦軸回りの旋回方向Ｘと、アーム軸線に交差する横軸回りの首振り方向Ｙと、アーム軸線の延長軸回りのねじり方向Ｚに対して姿勢変更自在に取付けて成る照明器具であって、アームから突出するボール部を備えたボール手段と、照明体に設けられた軸受手段と、前記ボール手段と前記軸受手段の間に介装された中間手段と、該中間手段と照明体の間に設けられた調圧手段とを備え、前記中間手段は、ボール部を抱持することにより照明体を旋回方向Ｘとねじり方向Ｚに姿勢変更可能とするソケット部と、ソケット部から側方に延設されると共に照明体の軸受手段に軸支されることにより照明体を首振り方向Ｙに姿勢変更可能とする支軸部とを備えており、前記調圧手段は、照明体に固設されると共に前記支軸部の周面に沿う円弧状の切欠部を形成した合成樹脂製の固定軸受部と、該固定軸受部の切欠部に沿って設けられた断面円弧状の耐熱性のライニング材と、前記ライニング材に対向して配置された可動軸受部と、該可動軸受部とライニング材の間に前記支軸部を回動自在に抱持せしめた状態で可動軸部材を支軸部の周面に対して調節自在に押圧せしめる締着手段とから成ることを特徴とする照明器具。
【請求項２】
照明体に固設された固定軸受部が、支軸部に交差して配設されたほぼ平行な合成樹脂製リブにより構成され、耐熱性のライニング材が、平行なリブのそれぞれに設けた円弧状の切欠部に跨設された断面円弧状の金属板により構成され、該金属板から延設した舌片を照明体の係止部に係止して成ることを特徴とする請求項１に記載の照明器具。
【請求項３】
可動軸受部が、一対の翼部の間に凹曲部を形成した板バネにより構成され、該凹曲部とライニング材の間に支軸部を回動自在に抱持した状態で、板バネの一方の翼部を照明体に固定すると共に、他方の翼部を進退自在な締着手段を介して照明体に連結して成ることを特徴とする請求項１又は２に記載の照明器具。
【発明の詳細な説明】
【０００１】
【発明の属する技術分野】
本発明は、照明器具に係り、例えば、デスク等の家具に装着することにより使用される照明器具に関する。
【０００２】
【従来の技術】
デスク用の照明器具としては、デスクに固定される支柱の上端から屈折して水平方向に延びるアームを設け、該アームの先端に照明体を取付けたものが公知である。通常、デスクの天板を照らす光の照射方向を変更自在とするため、照明体は、アーム軸線に交差する鉛直軸回りの旋回方向Ｘと、アーム軸線に交差する水平軸回りの首振り方向Ｙに姿勢変更自在となるように構成されている。
【０００３】
【発明が解決しようとする課題】
従来技術は、旋回方向Ｘを規定する鉛直軸と、首振り方向Ｙを規定する水平軸が、何れも軸部材により形成され、旋回方向Ｘと首振り方向Ｙの回動を独立して行わしめる構成であるため、照明体の姿勢を変更する際、選択できる姿勢に制約を受ける。
【０００４】
そこで、照明体の姿勢変更の多様化を図るためには、前記の鉛直軸と水平軸に加えて、アーム軸線の延長軸回りのねじり方向Ｚの姿勢変更を可能とする軸部材を追加すれば良いことが知見される。然しながら、この場合、アームと照明体の間に３本の軸部材を介装しなければならず、部品点数の増加と、装置の大型化を招来する問題がある。しかも、多様化された旋回方向Ｘと首振り方向Ｙとねじり方向Ｚの三方向の回動は、３本の軸部材により相互に独立した動きとされるため、スムース且つ柔軟な姿勢変更を行い難いという問題がある。
【０００５】
ところで、本発明者らは、アームから突出するボール手段と、照明体に設けた軸受手段と、前記ボール手段と前記軸受手段の間に介装した中間手段とを構成し、中間手段のソケット部によりボール手段のボール部を抱持することにより照明体の旋回方向Ｘとねじり方向Ｚの姿勢変更を可能ならしめ、中間手段のソケット部から側方に延びる支軸部を照明体の軸受手段に軸支することにより照明体の首振り方向Ｙの姿勢変更を可能ならしめることが有利であることを知見した。そして、その際、照明体が自重により首振り方向Ｙに首垂れすることを防止すると共に、ユーザが首振り方向Ｙに対して照明体を姿勢変更せしめるに際し、その動きの固さが最適となるように調節できるように、中間手段の支軸部の周面を調節自在に押圧する調圧手段を設けることが有利であることを知見した。
【０００６】
前記調圧手段は、照明体に設けた合成樹脂製の固定軸受部に形成した円弧状の切欠部と、金属板から成る可動軸受部に形成した円弧状の凹曲部との間に支軸部を抱持せしめ、該可動軸受部を支軸部の周面に対して調節自在に押圧せしめる締着手段を設けることにより構成することができる。然しながら、このような構成の場合、金属板により支軸部が合成樹脂製の固定軸受部に圧接されるため、照明体を首振り方向Ｙに頻繁に回動すると、固定軸受部の切欠部が摩耗したり、摩擦熱により切欠部の摺擦面を溶融せしめられる問題がある。特に、照明器具の商品を展示会や店頭販売に供し、デモンストレーションとして照明体の姿勢変更を頻繁に実行する際、前記問題を顕在化する。
【０００７】
【課題を解決するための手段】
本発明は、上記課題を解決した照明器具を提供するものであり、その手段として構成したところは、アームの先端に照明体を、アーム軸線に交差する縦軸回りの旋回方向Ｘと、アーム軸線に交差する横軸回りの首振り方向Ｙと、アーム軸線の延長軸回りのねじり方向Ｚに対して姿勢変更自在に取付けて成る照明器具であって、アームから突出するボール部を備えたボール手段と、照明体に設けられた軸受手段と、前記ボール手段と前記軸受手段の間に介装された中間手段と、該中間手段と照明体の間に設けられた調圧手段とを備え、前記中間手段は、ボール部を抱持することにより照明体を旋回方向Ｘとねじり方向Ｚに姿勢変更可能とするソケット部と、ソケット部から側方に延設されると共に照明体の軸受手段に軸支されることにより照明体を首振り方向Ｙに姿勢変更可能とする支軸部とを備えており、前記調圧手段は、照明体に固設されると共に前記支軸部の周面に沿う円弧状の切欠部を形成した合成樹脂製の固定軸受部と、該固定軸受部の切欠部に沿って設けられた断面円弧状の耐熱性のライニング材と、前記ライニング材に対向して配置された可動軸受部と、該可動軸受部とライニング材の間に前記支軸部を回動自在に抱持せしめた状態で可動軸部材を支軸部の周面に対して調節自在に押圧せしめる締着手段とから成る点にある。
【０００９】
本発明の好ましい実施形態において、照明体に固設された固定軸受部は、支軸部に交差して配設されたほぼ平行な合成樹脂製リブにより構成され、耐熱性のライニング材は、平行なリブのそれぞれに設けた円弧状の切欠部に跨設された断面円弧状の金属板により構成され、該金属板から延設した舌片を照明体の係止部に係止せしめられている。
【００１０】
更に、本発明の好ましい実施形態において、可動軸受部は、一対の翼部の間に凹曲部を形成した金属板により構成され、該凹曲部とライニング材の間に支軸部を回動自在に抱持した状態で、金属板の一方の翼部を照明体に固定すると共に、他方の翼部を進退自在な締着手段を介して照明体に連結している。
【００１１】
【発明の実施の形態】
以下図面に基づいて本発明の好ましい実施形態を詳述する。
【００１２】
図１は、本発明の照明器具１を装備したデスク２の１例を示している。デスク２の天板３には、下側書棚４と上側書棚５が着脱自在に積層設置され、図２に示すように、下側書棚４の背板４ａと上側書棚５の背板５ａを相互に前後に偏位せしめている。即ち、デスク２の前後方向に対して、前方位置に下側書棚４の背板４ａが位置し、後方位置に上側書棚５の背板５ａが位置せしめられ、背板４ａの後面と背板５ａの前面との間に図示のような距離ｄを有する。また、上側書棚５の棚板５ｂは、下側書棚４の背板４ａの上端よりも上方位置に配置され、図示のように充分な距離Ｄを有する。尚、上側書棚５は下側書棚４から取外し自在であり、下側書棚４は天板３から取外し自在である。
【００１３】
照明器具１は、支柱６と、該支柱の上端から屈折してほぼ水平方向に延びるアーム７と、該アーム７の先端に連結された照明体８を備えており、デスク２に対する装着のバリエーションを持たせるため、次のような装着形態を選択的に可能とする。
【００１４】
図２に示す第一の装着形態において、デスク２には下側書棚４と上側書棚５が積層設置されており、照明器具１の支柱６を下側書棚４の背板４ａの背面に固着せしめられる。前述のように上下に位置する背板５ａ、４ａは、前後方向に距離ｄを有しているので、支柱６の上部は、上側書棚５の背板５ａの前面側に突出する。そして、前述のように上側書棚５の棚板５ｂが充分な距離Ｄを有して上方に位置するので、アーム７は該棚板５ｂの下方空間に配置され、照明体８は天板３に光を照射可能な位置に配置される。後述する図５（Ａ）に示すように、支柱６には下端近傍部において上下方向に間隔をあけて２個所に取付孔９ａ、９ｂが貫設され、下側書棚４の背板４ａの背面には下端近傍部において上下方向に間隔をあけて２個所に埋込みナット１０ａ、１０ｂが設けられており、選択された取付孔９ａ又は９ｂと選択された埋込みナット１０ａ又は１０ｂを相互に合致せしめた状態で、取付孔に挿通した頭付きボルト１１を埋込みナットに螺着する構成とされ、このような選択により支柱６の上下取付位置を変更可能としている。そこで、図２に示す第一の装着形態では、下側の取付孔９ｂを下側の埋込みナット１０ｂに合致せしめた状態で頭付きボルト１１を締着しており、従って、支柱６は変更可能な上下取付位置のうち、最も下側の位置に取付けられている。
【００１５】
図３に示す第二の装着形態において、下側書棚４から上側書棚５が取外されている。従って、照明器具１は、支柱６の上部を下側書棚４の背板４ａから上方に延出せしめ、自由な空間にアーム７及び照明体８を配置している。そこで、前述のように取付孔９ａ、９ｂと埋込みナット１０ａ、１０ｂを選択することにより、背板４ａに対する支柱６の取付位置を変更することが可能である。即ち、前述の図２に示す最下位置の他、図３及び図５（Ａ）に示すように上側の取付孔９ａを上側の埋込みナット１０ａに合致せしめた状態で頭付きボルト１１を締着することにより支柱６を前記最下位置よりもやや上方に位置せしめた中間位置が可能であり、更に、図示省略しているが、下側の取付孔９ｂを上側の埋込みナット１０ａに合致せしめた状態で頭付きボルト１１を締着することにより支柱６を前記中間位置よりも更に上方に位置せしめた最上位置が可能である。
【００１６】
図４に示す第三の装着形態において、デスク２の天板３からは全ての書棚が取外されている。この場合、照明器具１の支柱６は、取付具１２を使用することにより天板３に装着される。図５（Ｂ）及び図７（Ｂ）に示すように、取付具１２は、締着ボルト１３を備えたコ字形のクランプ金具１４により天板３の縁部を挟持する構成とされ、クランプ金具１４から起立する横断面コ字形のブラケット１５に支柱６の下端近傍部を嵌合した状態で、前述の一対の取付孔９ａ、９ｂに挿入された一対の頭付きボルト１１、１１をブラケット１５に挿通せしめると共にナット１６、１６を締着する構成である。尚、前記ボルト及びナットを含んでブラケット１５を被うカバー部材１７が設けられている。
【００１７】
照明器具１の支柱６は、図６及び図７（Ａ）に示すように、アルミニウム等の軽金属その他の素材による押出し材又は引抜き材から成り、中空の柱材を構成することが好ましく、中央に形成された断面角形の角筒部１８を長手方向に延設すると共に、左右両側壁の内面に沿って長手方向に延びるほぼ筒状のリブ１９、１９を形成し、背壁には背面に開口する溝２０を長手方向に沿って形成している。そこで、図５（Ａ）に示すように、支柱６の下端開口を蓋材２１により閉鎖し、該蓋材２１を固定するビス２２、２２を前記リブ１９、１９にねじ込み固着している。
【００１８】
図２及び図３に示した第一及び第二の装着形態における支柱６の取付状態を安定ならしめるため、下側書棚４における背板４ａの背面には、支柱６を抱持する固定バンド２３が設けられており、該固定バンド２３の両端の取付孔に挿入された頭付きボルト２４、２４を、背板４ａの背面に設けられた埋込みナット２５、２５に螺着する構成とされている。従って、第一及び第二の装着形態において、固定バンド２３は頭付きボルト２４、２４により緊締され、支柱６を背板４ａと固定バンド２３の間に締着する。一方、頭付きボルト２４、２４を弛め又は取外すことにより、上述したような支柱６の上下取付位置の変更が可能であり、しかも、図４に示すような下側書棚４の取外しが可能である。
【００１９】
照明器具１のアーム７は、図８に示すように、それぞれ合成樹脂製の外アーム２６に内アーム２７をスライド自在に内嵌した伸縮アームを構成している。図９及び図１０に示すように、外アーム２６は、上下に分割された上体２６ａと下体２６ｂを重ね合わせた状態で、両側縁部を相互にビス等により結合することにより中空体を形成し、下体２６ｂの尾端部に顎部２８を一体に形成している。図１０に示すように、顎部２８は、底壁２８ａから横断面角形の角軸部２９を垂設しており、該角軸部２９に金属製の補強コアー３０を内挿している。そこで、支柱６の上端から角筒部１８に角軸部２９を挿入すると共に、支柱６の上端開口を顎部２８の底壁２８ａにより閉鎖し、該底壁２８ａを固定するビス３１、３１を支柱６のリブ１９、１９にねじ込み固着している。
【００２０】
図８及び図９に示すように、内アーム２７は、皿体２７ａの上部開口を蓋体２７ｂにより閉鎖しビス等により結合することにより中空体を形成し、皿体２７ａの尾端近傍部における両側壁の外側に断面コ字形のスライドガイド３２、３２を設けている。中空体を構成する外アーム２６の両側内面にはスライド溝３３、３３が形成されており、該スライド溝３３、３３は、外アーム２６の先端において閉鎖壁３３ａにより閉鎖されている。そこで、内アーム２７は、外アーム２６に入れ子状に挿入された状態で、前記スライドガイド３２、３２をスライド溝３３、３３に摺動自在に嵌合せしめる。図８に示すように内アーム２７を外アーム２６に押込んだ状態では、内アーム２７の後端部が外アーム２６の後端壁に接当する。この状態から内アーム２７を引出すと、内アーム２７と共にスライドガイド３２、３２がスライド溝３３、３３に沿って摺動し、スライドガイド３２、３２の前端が閉鎖壁３３ａ、３３ａに接当した状態で停止する。
【００２１】
図２ないし図４並びに図８及び図１２に示すように、照明体８は、横方向に長く延び下向きに開口する庇状のシェード３４を備え、該シェード３４に直管式その他の蛍光ランプから成る光源体３５並びに々点灯装置及び調光装置等（図示せず）を装備すると共に、光源体３５の上方に沿って延びる反射板３６を設けている。図１２に示すように、シェード３４の長手方向の中央個所には窓孔を介して透明又は半透明の表示板３７が嵌着されており、光源体３５の光を反射板３６の透孔を通過して表示板３７に透光せしめ、該表示板３７に表示された文字又は図柄等の標章を顕在的に表示する。シェード３４の庇縁３４ａの内側には、透光を緩和するために乳白色等の合成樹脂板等から成る曇板３８が設けられている。曇板３８は、庇縁の長手方向全長にわたって延びるスカート部３８ａの上部から内側に向けて一体に突設された取付リブ３８ｂを前記反射板３６の前縁にビス等の固定手段３９で固定しており、スカート部３８ａの長手方向両端から内側に折曲された取付片３８ｃをシェード３４の両側壁の内側に固定している。更に、曇板３８の長手方向中央部には、スカート部３８ａとシェード３４の内面との間を遮蔽する遮蔽部３８ｄがスカート部３８ａから一体に突設されている。そこで、光源体３５から照射される照明光のうち、庇縁３４ａの下方に向けて照射される光は、曇板３８のスカート部３８ａによって緩和され防眩されるので、デスク使用者の顔面への直接照射が防止される。一方、表示板３７に照射される光は、遮蔽部３８ｄにより外部への直接的な漏洩が防止されるので、表示板３７に表示された標章の顕在化に貢献する。しかも、シェード３４の庇縁３４ａを手指で把持することにより照明体８の姿勢を変更せしめる際、前記遮蔽部３８ｄが指当たりとして役立つ。
【００２２】
照明体８は、アーム７の先端（内アーム２７の先端）に対して、図１８に示すように、伸縮自在なアーム７の軸線Ａに交差する縦軸Ｖ回りの旋回方向Ｘと、前記軸線Ａに交差する横軸Ｈ回りの首振り方向Ｙと、前記軸線Ａの延長軸Ｅ回りのねじり方向Ｚに対して姿勢変更自在となるように取付けられている。旋回方向Ｘとねじり方向Ｚの姿勢変更は、後述するようなボールジョイントにより達成される。このため、旋回方向Ｘを規定する縦軸Ｖは、鉛直方向の一つの縦軸に限定されず、ボールの中心を通り且つ鉛直軸（図中のＶ）と横軸Ｈとの間において傾斜する無数の縦軸を含んでいることを諒解されたい。また、ねじり方向Ｚを規定する延長軸Ｅも、アーム軸Ａと同一線上で延びる同軸に限定されず、ボールの中心を通り且つ同軸（図中のＥ）と横軸Ｈとの間において傾斜する無数の縦軸を含んでいることを諒解されたい。
【００２３】
図１１及び図１２に示すように、アーム７と照明体８の間には、支軸４０にボール部４１を設けたボール手段４２と、中間手段４５が配設されており、中間手段４５は、前記ボール部４１を抱持するソケット部４３と、該ソケット部から両側方に延びる延長軸部４４、４４と、該延長軸部から更に延びる支軸部６１、６１を備えている。
【００２４】
ボール手段４２は、内アーム２７の先端に形成された筒部４６に支軸４０を挿入すると共にピン等により抜止め状に固定され、図例では回転不能に固定しており、ボール部４１を内アーム２７から突出せしめる。この際、支軸４０の首部には筒軸４７が外挿され、前記筒部４６の開口近傍において拡径された径大の環状壁部４８に筒軸４７を回動自在に内嵌せしめている。
【００２５】
中間手段４５は、可撓性を有する合成樹脂により成形した一対の半割り状の分割体４５ａ、４５ｂを合掌状態に結合することにより構成されている。即ち、分割体４５ａ、４５ｂをボルト及びナットから成る締着連結手段４９により結合し締着することにより、ボール部４１を挟んで抱持する球面状凹部を備えたソケット片部４３ａ、４３ｂの一対により前記ソケット部４３を構成すると共に、該ソケット片部４３ａ、４３ｂから延設された延長軸片部４４ａ、４４ｂの一対により前記延長軸部４４を構成し、更に、該延長軸片部４４ａ、４４ｂから延長された支軸片部６１ａ、６１ｂの一対により前記支軸部６１を構成する。
【００２６】
図１６及び図１７に示すように、半割り状の分割体４５ａ、４５ｂは、ソケット片部４３ａ、４３ｂの間にボール部４１を抱持して合掌せしめた状態で、一対の支軸片部６１ａ、６１ｂの対向面を相互に接当係止せしめる係止面６２を形成する一方、一対のソケット片部４３ａ、４３ｂの対向面と一対の延長軸片部４４ａ、４４ｂの対向面のそれぞれに相互にギャップｄを介して離間せしめられた非係止面６３、６４を形成しており、延長軸片部４４ａ、４４ｂに締着連結手段４９を挿通するための貫通孔６５を設けている。尚、貫通孔６５は、ボール手段４２の支軸４０側に配置される延長軸片部４４ｂにナットを回動不能に嵌入するナット受入開口６５ｂを備えると共に、ボール部４１の先端側に配置される延長軸片部４４ａにボルトの頭部を回動自在に嵌入するボルト頭部受入開口６５ａを備えている。
【００２７】
図１７に示すように、ボール手段４２のボール部４１の周面が真球状であるのに対して、ソケット片部４３ａ、４３ｂの球面状凹部は真球状でなく、前記非係止面６３に向けてソケット片部４３ａ、４３ｂの次第に肉厚を薄く形成することにより、非係止面６３に近傍する領域においてソケット片部４３ａ、４３ｂの内面とボール部４１の周面との間に隙間ｓが形成されるように構成されている。
【００２８】
尚、分割体４５ａ、４５ｂを合掌することにより構成される中間手段４５は、延長軸部４４よりも支軸部６１を径大に形成し、延長軸部４４よりも支軸部６１の間に異径段部６６を設けている。
【００２９】
そこで、ソケット片部４３ａ、４３ｂの間にボール部４１を抱持せしめた状態で一対の分割体４５ａ、４５ｂを合掌せしめると、支軸片部６１ａ、６１ａが相互に係止面６２を接当係止する反面、ソケット片部４３ａ、４３ｂ及び延長軸片部４４ａ、４４ｂがそれぞれ相互に非係止面６３、６４によりギャップｄを形成する。従って、この状態で、延長軸片部４４ａ、４４ｂの貫通孔６５にボルト及びナットから成る締着連結手段４９を挿入し締着することにより、中間手段４５が組立てられる。この際、締着連結手段４９の締着力を調節することにより、ソケット部４３とボール部４１の間の摩擦抵抗を調節することができ、前述の旋回方向Ｘ及びねじり方向Ｚに照明体８を姿勢変更せしめる際の動きの固さを最適となるように設定できる。
【００３０】
組立てられた中間手段４５の延長軸部４４及び／又は支軸部６１は、照明体８に設けられた軸受手段５０、５０に軸支される。図例の場合、図１１及び図１４（Ａ）に示すように、合成樹脂製のシェード３４の背部に延設された首部３４ｃと、該首部３４ｃを下側から被いビス等の固着手段３４ｄにより固着される合成樹脂製の下側カバー３４ｂのそれぞれに、相互に対向して衝合されるリブ壁３４ｅ、３４ｆ（図１２参照）を設けており、両リブ壁３４ｅ、３４ｆのそれぞれに形成したほぼ半円形の切欠部を対向せしめることにより軸受手段５０を構成しており、延長軸部４４のうち異径段部６６に近傍する部位を軸受手段５０に軸支せしめ、異径段部６６を軸受手段５０の側面に適合せしめている。尚、中間手段４５と軸受手段５０の関係は、図例のように延長軸部４４を軸受手段５０に軸支せしめる構成とする他、支軸部６１を軸受手段５０に軸支せしめる構成としても良く、更には延長軸部４４と支軸部６１の両者を軸受手段５０に軸支せしめるように構成しても良い。
【００３１】
図１１に示すように、一方の軸受手段５０の近傍には調圧手段５３が設けられており、該調圧手段５３は、図１３及び図１４に示すように、照明体８の首部３４ｃに固設された固定軸受部５１と、該固定軸受部５１に設けられた耐熱性のライニング材６８と、該ライニング材６８に対向して配置された可動軸受部５２を備え、前記ライニング材６８と可動軸受部５２の間に中間手段４５の支軸部６１を回動自在に抱持せしめる。
【００３２】
固定軸受部５１は、図１３に示すように、照明体８の首部３４ｃに一体成形された合成樹脂製リブ５１ａから成り、該リブ５１ａに支軸部６１の周面に沿う円弧状の切欠部５１ｂを形成している。尚、図１１に示すように、ほぼ平行な一対のリブ５１ａ、５１ａが支軸部６１に交差して配設されている。
【００３３】
耐熱性のライニング材６８は、亜鉛板その他の金属板６８ａを断面円弧状にプレス成形することにより構成され、前記固定軸受部５１の平行なリブ５１ａ、５１ａに跨設されると共に、各リブの円弧状の切欠部５１ｂに合致せしめられる。図１４に示すように、金属板６８ａの一端には舌片６８ｂが延設されており、該舌片６８ｂを照明体８の首部３４ｃに設けた係止部６９に係止せしめられる。図例の場合、係止部６９は、首部３４ｃから垂設したボス６９ａから小径突起６９ｂを突設しており、該小径突起６９ｂに前記舌片６８ｂの小孔６８ｃを係合せしめている。
【００３４】
図１３に示すように、可動軸受部５２は、両翼部５２ａ、５２ｂの間に支軸部６１を抱持せしめる円弧状の凹曲部５２ｃを屈曲形成した鉄板や鋼板等の金属板から成り、一方の翼部５２ａを照明体８の首部３４ｃに対してビス等の固定手段７０により固定される。図例の場合、固定手段７０を構成するビスは、固定軸受部５１を構成するリブ５１ａに一体成形したボスのボス孔５１ｃに螺着され、他方の翼部５２ｂに締着手段５５を設けている。図例の場合、締着手段５５は、照明体８の首部３４ｃに形成されたボス部３４ｇに下向きに挿着されると共に突出する先端を前記翼部５２ｂに貫通されたネジ軸５４と、該ネジ軸５４に螺合するナットを備えた締着部５５ａと、該締着部５５ａに付設された操作部５５ｂを構成しており、前記操作部５５ｂを照明体８の下側カバー３４ｂから下方に突出せしめている。従って、操作部５５ｂを摘んで回動することにより締着部５５ａをネジ軸５４に対して前進せしめると、翼部５２ｂが緊張され、凹曲部５２ｃにより支軸部６１の周面を緊締する。反対に、締着部５５ａをネジ軸５４上で後退せしめると、支軸部６１の周面上で凹曲部５２ｃの緊締力を緩める。従って、前記調圧手段５３により、照明体８が自重により前記首振り方向Ｙに垂れ下がることを防止できるだけでなく、ユーザが首振り方向Ｙに対して照明体８を姿勢変更せしめる際、その動きの固さが最適となるように設定できる。尚、可動軸受部５２を構成する金属板を板バネにより形成しておけば、前記締着部５５ａを後退せしめた際、板バネの復元力により自動的かつ積極的に支軸部６１を緩めることができる。
【００３５】
照明体８を首振り方向Ｙに回動せしめるに際し、調圧手段５３の可動軸受部５２を支軸部６１に強く緊締せしめていると、支軸部６１がライニング材６８に対して強く圧接されており、該支軸部６１とライニング材６８の摺接面に大きな摩擦抵抗を生じる。この点に関し、支軸部６１を固定軸受部５１の切欠部５１ｂに直接に軸支せしめた場合は、照明体８を首振り方向Ｙに頻繁に回動せしめる際に生じる摩擦熱により、合成樹脂製の固定軸受部５１を溶融せしめる危険があるのに対して、本発明の実施形態によれば、固定軸受部５１の切欠部５１ｂと支軸部６１の間に金属板６８ａから成る耐熱性のライニング材６８を設けているので、このような危険はない。
【００３６】
また、金属板６８ａから成る断面円弧状のライニング材６８が広面積の範囲で支軸部６１の周面を支持できるので、固定軸受部５１それ自体を分厚く形成する必要がなく、前述のような薄いリブ５１ａ、５１ａにより構成すれば足り、合成樹脂素材を節約できると共に、合成樹脂成形に際するヒケ等の問題もなく成形が容易となる。
【００３７】
ところで、照明器具１を長期使用し、照明体８を旋回方向Ｘ及びねじり方向Ｚに繰返し姿勢変更せしめると、ソケット部４３とボール部４１の間の摩擦抵抗が次第に減少し、照明体８の旋回方向Ｘ及びねじり方向Ｚに対する動きの固さが緩くなるが、その場合は、ユーザにおいて締着連結手段４９のボルトを締着し直すことによりソケット片部４３ａ、４３ｂを改めてボール部４１に対して強く締着せしめ、照明体８の動きの固さを最適となるように調節すれば良い。図例の場合、図１１に示すように、照明体８は、下側カバー３４ｂを含む首部３４ｃが軸受手段５０、５０を挟んで内方に凹曲された凹部６７を形成しており、図２の鎖線に示すように照明体８を下向き垂れ下がり状に姿勢変更すると、前記凹部６７が水平姿勢から垂直姿勢へと姿勢変更され、中間手段４５の前方空間を開放するので、該凹部６７による開放空間を介して、照明器具１の前方からドライバーその他の工具手段により締着連結手段４９のボルトを操作することができる。尚、凹部６７に代えて、例えば、照明体８の外部からドライバー等の工具をボルトに向けて挿入自在な孔等を設けても良い。また、ボルト頭部にはドライバー係合溝の他、コイン等の係合溝、その他の回転操作手段を設けておけば良い。
【００３８】
前記調節のために締着連結手段４９を締着すると、前述のように、非係止面６３、６４によるギャップｄが形成されているので、ソケット片部４３ａ、４３ｂ及び延長軸片部４４ａ、４４ｂは、好適に締着され、ソケット部４３とボール部４１の間の摩擦抵抗を増す。これに対して、支軸片部６１ａ、６１ａは、常時、係止面６２を接当係止しているので、締着連結手段４９の締着により支軸部６１の外径を縮径することはなく、締着の有無に関わらず常に軸受手段５０に好適に軸支されている。
【００３９】
図示実施例の場合、係止面６２が支軸片部６１ａ、６１ａの全長にわたり設けており、締着連結手段４９により延長軸片部４４ａ、４４ｂを締着した際、図１６に示すように、係止面６２のうち異径段部６６に近傍する部位が支点ｐを形成することにより、図示矢印ｋで示すように支軸片部６１ａ、６１ａの軸端を拡開せしめるように作用し、支軸部６１を調圧手段５３に対して圧接せしめる。尚、このような支点ｐの形成と、前述のような軸受手段５０に対する部位での縮径を防止する構成とするためには、係止面６２は、支軸片部６１ａ、６１ａの全長にわたり設けなくても良く、少なくとも延長軸片部４４ａ、４４ｂに近傍する個所（図例における異径段部６６に近傍する個所）に設けておけば良い。
【００４０】
上記から明らかなように、アーム７と照明体８の間には、中間手段４５のソケット部４３とボール手段４２のボール部４１によるボールジョイントが構成されている。従って、ボールジョイントの自在性により、照明体８は、前記旋回方向Ｘと首振り方向Ｙとねじり方向Ｚに関して、それぞれの方向並びにそれらを複合せしめた方向への姿勢変更が可能であり、本発明の実施形態をそのように構成しても良い。
【００４１】
然しながら、図示の実施形態においては、ボールジョイントにより旋回方向Ｘとねじり方向Ｚに関する姿勢変更だけを可能ならしめ、首振り方向Ｙに関する姿勢変更は前記延長軸部４４及び／又は支軸部６１と軸受手段５０とから成るピボット式の首振り回動手段により可能ならしめる構成としている。
【００４２】
図１１に示すように、中間手段４５の一方の分割体４５ｂのソケット片部４３ｂは、ボール手段４２の支軸４０の首部に外挿された筒軸４７を挿通せしめる制御孔５６を開設している。そこで、制御孔５６を横向きに延びる長孔に形成しており、これにより中間手段４５が旋回方向Ｘに向けて回動することを可能ならしめている。
【００４３】
然るに、図１２に示すように、制御孔５６は、中間手段４５の首振り方向Ｙの回動を阻止するように上下縁部を筒軸４７に係合せしめた係合手段５７を構成する。図例の場合、筒軸４７における上下部を切除された平坦軸部４７ａを制御孔５６に内嵌せしめている。従って、図示実施形態の構成によれば、ボールジョイントの部分において照明体８が自重により前記首振り方向Ｙに垂れ下がることをなく、首振り方向Ｙに対する照明体８の姿勢変更は、ボールジョイントの両側方に設けられた延長軸部４４と軸受手段５０とから成るピボット式の首振り回動手段により達成される。
【００４４】
照明体８の光源体３５に電流を供給するための導線は、照明体８からアーム７の中空部を経て、支柱６の溝２０に案内され、床面に導かれる。このため、ボールジョイントにより、照明体８がねじり方向Ｚに向けて自由に回動自在であると、照明体８とアーム７の間において導線がねじられ断線の虞れを生じることになる。そこで、ボール手段４２と中間手段４５の間には、中間手段４５のねじり方向Ｚの回動範囲を制限するストッパ手段５８が設けられている。図示実施形態の場合、図１２及び図１５に示すように、筒軸４７の外周面に突片５９が設けられ、該筒軸４７を回動自在に受入れる径大の環状壁部４８の内周面に周方向に間隔をあけて受片６０ａ、６０ｂが設けられている。図例の場合、中間手段４５をほぼ水平姿勢としたとき、図１５に示すように突片５９が上向き姿勢とされ、これに対して一対の受片６０ａ、６０ｂが突片５９の左右両側方に間隔をあけて配置されている。従って、この状態から中間手段４５を時計針方向に回動すると、係合手段５７により中間手段４５と一体的に回動する筒軸４７の突片５９が右側の受片６０ｂに接当し、これにより中間手段４５の時計針方向の回動を停止せしめる。反対に、中間手段４５を反時計針方向に回動すると、係合手段５７により中間手段４５と一体的に回動する筒軸４７の突片５９が左側の受片６０ａに接当し、これにより中間手段４５の反時計針方向の回動を停止せしめる。
【００４５】
【発明の効果】
本発明によれば、支軸部６１を照明体８の軸受手段５０に軸支せしめることにより、照明体８の姿勢変更を可能にした構成において、支軸部６１の周面を調節自在に押圧する調圧手段５３を設け、円弧状の切欠部５１ｂを形成した固定軸受部５１と、可動軸受部５２との間に支軸部６１を回動自在に抱持せしめ、締着手段５５により可動軸受部５２を支軸部６１の周面に対して調節自在に押圧せしめる構成であるから、ユーザが照明体８の姿勢を変更する際の動きの固さを最適状態に調節することが可能である。
【００４６】
この際、可動軸受部５２を板バネにより構成しておけば、翼片部５２ｂが締着部５５ａに弾支され、該締着部５５ａが自由に回動して弛むことを防止する弛み止めとして機能し、しかも、締着手段５５を前進せしめることにより支軸部６１を緊締する反面、締着手段５５を後退せしめれば板バネの復元力により自動的かつ積極的に支軸部６１を緩めることができる。
【００４７】
ところで、支軸部６１を固定軸受部５１の切欠部５１ｂに直接に軸支する場合は、照明体８を首振り方向Ｙに頻繁に回動せしめる際に生じる摩擦熱により、合成樹脂製の固定軸受部５１を溶融せしめる危険があるのに対して、本発明によれば、固定軸受部５１の切欠部５１ｂと支軸部６１の間に耐熱性のライニング材６８を設けているので、このような危険がなく、耐用性を満足できる。
【００４８】
しかも、ライニング材６８を断面円弧状の金属板６８ａにより形成し、広面積の範囲で支軸部６１の周面を支持する構成としておけば、固定軸受部５１それ自体を分厚く形成する必要がなく、図例のように固定軸受部５１を薄いリブ５１ａ、５１ａで形成することが可能になり、合成樹脂素材を節約できると共に、合成樹脂成形に際するヒケ等の問題もなく成形が容易となる。
【００４９】
更に、本発明によれば、アーム７から突出するボール部４１を備えたボール手段４２と、照明体８に設けられた軸受手段５０と、前記ボール手段４２と軸受手段５０の間に介装された中間手段４５とを備え、中間手段４５のソケット部４３と前記ボール部４１により少なくとも照明体８を旋回方向Ｘとねじり方向Ｚに姿勢変更可能とするボールジョイントを構成すると共に、中間手段４５の支軸部６１により照明体８を首振り方向Ｙに姿勢変更可能とする首振り回動手段を構成した点に特徴がある。従って、ボールジョイントにより、旋回方向Ｘを規定する縦軸Ｖが鉛直方向の一つの縦軸に限定されずボールの中心を通り且つ鉛直軸（図１８のＶ）と横軸Ｈとの間において傾斜する無数の縦軸を含み、しかも、ねじり方向Ｚを規定する延長軸Ｅもアーム軸Ａと同一線上で延びる同軸に限定されずボールの中心を通り且つ同軸（図１８のＥ）と横軸Ｈとの間において傾斜する無数の縦軸を含むので、照明体８の柔軟且つ自在な姿勢変更を可能にする。しかも、前記中間手段４５の支軸部６１と照明体８の軸受手段５０、５０により、上述のような首振り回動手段を構成するので、照明体８の首振り方向Ｙに対する姿勢変更をスムースに行うことができ、この際、照明体８は、軸部と軸受による構成であるから回動範囲を広範囲に形成することが可能であり、例えば、照明体８を図２に示す実線の位置から鎖線の位置まで回動せしめる他、更に鎖線の位置からアーム７の下側にほぼ重なるような位置まで回動可能に構成できるので、アーム７と照明体８をアセンブリした状態で梱包する際のコンパクト化が可能になる。
【図面の簡単な説明】
【図１】本発明の照明器具を装備したデスクの１例を示す斜視図である。
【図２】本発明の照明器具をデスクに装備せしめる際の第一の装着形態を示す縦断側面図である。
【図３】本発明の照明器具をデスクに装備せしめる際の第二の装着形態を示す縦断側面図である。
【図４】本発明の照明器具をデスクに装備せしめる際の第三の装着形態を示す縦断側面図である。
【図５】デスクに対する照明器具の装着部分を示しており、（Ａ）は図３におけるＡ部の拡大図、（Ｂ）は図４におけるＢ部の拡大図である。
【図６】デスクの書棚に対する照明器具の装着部分を示しており、書棚の背板を破断して示す照明器具の背面図である。
【図７】照明器具の支柱を示しており、（Ａ）は図６のＣ−Ｃ線拡大断面図、（Ｂ）は図５（Ａ）のＤ−Ｄ線拡大断面図である。
【図８】本発明の１実施形態の照明器具におけるアームと照明体の連結部分を示す横断面図である。
【図９】図８のＥ−Ｅ線拡大断面図である。
【図１０】図８のＦ−Ｆ線拡大断面図である。
【図１１】ボールジョイントと首振り回動手段の１実施形態を拡大して示す横断面図である。
【図１２】図１１のＪ−Ｊ線拡大断面図である。
【図１３】図１１のＧ−Ｇ線拡大断面であり、本発明の調圧手段の１実施形態を示す断面図である。
【図１４】本発明の調圧手段の１実施形態を示しており、（Ａ）は図１１のＬ−Ｌ線拡大断面図、（Ｂ）はライニング材の１例を拡大して示す斜視図である。
【図１５】図１１のＨ−Ｈ線拡大断面図である。
【図１６】中間手段の１実施形態を拡大して示す横断面図である。
【図１７】中間手段のソケット部を拡大して示す縦断面図である。
【図１８】照明器具における照明体の旋回方向Ｘと首振り方向Ｙとねじり方向Ｚを説明する斜視図である。
【符号の説明】
１    照明器具
２    デスク
４    下側書棚
５    上側書棚
６    支柱
７    アーム
８    照明体
２６    外アーム
２７    内アーム
３４    シェード
３４ｂ  下側カバー
３４ｃ  首部
３５    光源体
４０    支軸
４１    ボール部
４２    ボール手段
４３    ソケット部
４４    延長軸部
４５    中間手段
４９    締着連結手段
５０    軸受手段
５１    固定軸受部
５１ａ  リブ
５１ｂ  切欠部
５２    可動軸受部
５３    調圧手段
６１    支軸部
６８    ライニング材
６８ａ  金属板
６８ｂ  舌片
６８ｃ  小孔
６９    係止部
６９ａ  ボス部
６９ｂ  突起
【図１】
0003854432.tif 000002
【図２】
0003854432.tif 000003
【図３】
0003854432.tif 000004
【図４】
0003854432.tif 000005
【図５】
0003854432.tif 000006
【図６】
0003854432.tif 000007
【図７】
0003854432.tif 000008
【図８】
0003854432.tif 000009
【図９】
0003854432.tif 000010
【図１０】
0003854432.tif 000011
【図１１】
0003854432.tif 000012
【図１２】
0003854432.tif 000013
【図１３】
0003854432.tif 000014
【図１４】
0003854432.tif 000015
【図１５】
0003854432.tif 000016
【図１６】
0003854432.tif 000017
【図１７】
0003854432.tif 000018
【図１８】
0003854432.tif 000019